(57)【要約】【課題】堅牢な信号灯器の装柱装置を得る。【解決手段】電柱に突設した腕金３に信号灯器を吊設し、該腕金３の先端上面に、中央部片７と該中央部片７ａに相対して立設した側部片７ｂ，７ｂとで成る接続金具７を、前記中央部片７ａに設けた透孔１０に締付けボルト９を貫通させて締付ける。また、この接続金具７の前記側部片７ｂに、上端を前記電柱に取付けた補強用支杆５の下端を、該下端と前記側部片７ｂに設けた透孔１２に接続ボルト１１を貫通させて接続する。そして、前記中央部片７ａに設けた前記透孔１０より側部片７ｂに設けた前記透孔１２を上方位置にして、しかも、電柱側位置に配置する。【選択図】    図２
2005002639.tif 000002
【特許請求の範囲】
【請求項１】
電柱に突設した腕金に信号灯器を吊設し、該腕金の先端上面に、中央部片と該中央部片に相対して立設した側部片とで成る接続金具を、前記中央部片に設けた透孔に締付けボルトを貫通させて締付けると共に、この接続金具の前記側部片に、上端を前記電柱に取付けた補強用支杆の下端を、該下端と前記側部片に設けた透孔に接続ボルトを貫通させて接続して成り、中央部片に設けた前記透孔より側部片に設けた前記透孔を上方位置にして、しかも、電柱側位置に配置した、信号灯器装柱装置。
【発明の詳細な説明】
【０００１】
【産業上の利用分野】
本発明は、信号灯器装柱装置に関するものである。
【０００２】
【従来の技術】
電柱に突設した腕金に信号灯器を吊設し、該腕金の先端上面に中央部片と該中央部片に相対して立設した側部片で成る接続金具を前記中央部片において締付けボルトで締め付けると共に、この接続金具の側部片に、上端を前記電柱に取付けた補強用支杆の下端を、前記側部片に接続軸を横設して接続した信号灯器装柱装置は具体例を挙げるまでもなく公知であり、この公知構造のものは、締付けボルトによって腕金に締付けた接続金具の側部片に前記締付けボルトの直上に位置するようにして接続ボルトを配し、この接続ボルトによって補強用支杆の下端部を側部片（接続金具）に枢着した構成を採るものである（文献としての具体例を示すことができないので、図４で示す）。
【０００３】
【発明が解決しようとする課題】
前記の補強用支杆は、片持ち梁状にした腕金に信号灯器などの荷重の負荷に対処して腕金先端と電柱間との間に張架して耐荷重性を上げるものであるが、そのため該補強用支杆には張力が作用することになり、該張力の支点である接続ボルトを通じて接続ボルトを組付けた接続金具に現われ、接続金具を腕金に止着した締付けボルト頭部（又はボルトに螺合したナット）に荷重が負荷され、該締付けボルト部分を支点に接続金具は回動しようとし、この結果、締付けボルト部分が変形し、装置全体の耐久性に支障が生じるときがある。
【０００４】
本発明は、斯様な従来例の欠点を除去することを目的として創案したものである。
【０００５】
【課題を解決するための手段】
電柱に突設した腕金に信号灯器を吊設し、該腕金の先端上面に、中央部片と該中央部片に相対して立設した側部片とで成る接続金具を、前記中央部片に設けた透孔に締付けボルトを貫通させて締付けると共に、この接続金具の前記側部片に、上端を前記電柱に取付けた補強用支杆の下端を、該下端と前記側部片に設けた透孔に接続ボルトを貫通させて接続して成り、中央部片に設けた前記透孔より側部片に設けた前記透孔を上方位置にして、しかも、電柱側位置に配置した構成としたものである。
【０００６】
【発明の実施の形態】
図面は本発明に係る信号灯器装中装置の一実施形態を示し、図１は正面図、図２は要部の一部欠截拡大正面図、図３は図２の平面図、図４は従来例要部正面図である。
【０００７】
実施形態の信号灯器装柱装置は、電柱１に締付けた支持金具２に基部を取付けて腕金３を片持ち梁状にして前記電柱１に突設し、該腕金３の先端側に信号灯器４を吊設すると共に該先端と前記電柱１との間には補強用支杆５を張架して構成したものである。
【０００８】
補強用支杆５は、上端を前記電柱１に前記支持金具２位置より上方にして締付けたバンド体６の緊締ボルト６ａに取付け（図示省略してあるが上端のリング片に緊締ボルト６ａを貫通させるようにして取付けてある）、下端に設けたリング片５ａを接続金具７を介して前記腕金（方形筒で成る）３の先端に接続したものである。
【０００９】
接続金具７は中央部片７ａと該中央部片７ａの両側に相対設した側部片７ｂ，７ｂとで成り、長手方向のほぼ中央部に中央部片７ａから側部片７ｂ，７ｂの下部にかけて係合切欠８を設け、この係合切欠８の一側の前記中央部片７ａ部の中央に締付けボルト９貫通用の透孔１０を、他の一側の前記側部片７ｂ，７ｂ部の上方隅部寄りには接続ボルト１１貫通用の透孔１２，１２を設けて構成し、透孔１２は中央部片７ａに設けた締付けボルト９用の前記透孔１０より上方にして、しかも、前記電柱１側（すなわち補強用支杆５の上端側）に設けてある。
【００１０】
そして、接続金具７は、中央部片１３ａ，１３´ａと該中央部片１３ａ，１３´ａに相対して連設した立上り部片１３ｂ，１３´ｂとで成る上下の取付片１３，１３´と共に、前記締付けボルト９とこれに螺合したナット１４によって腕金３先端に締付けたものである。すなわち、一方の立上り部片１３ｂを係合切欠８に係合するようにして上側取付片１３に重ね合わせた接続金具７の中央部片７ａの透孔１０側から上側取付片１３の中央部片１３ａ、腕金３、閉塞枠１５及び下側取付片１３´の中央部片１３´ａのそれぞれに設けた透孔１０Ａ，１０Ｂ，１０Ｃ，１０Ｃ，１０Ｂ´に前記締付けボルト９を貫通させ、下側取付片１３´の中央部片１３´ａに設けた前記透孔１０Ｂ´より突出するボルト先端に前記ナット１４を螺合締付けて接続金具７は腕金３の先端に取付けられている。
【００１１】
そして、締付けボルト９によって腕金３の先端に締め付けた接続金具７の側部片７ｂ，７ｂには、該側部片７ｂ，７ｂに設けた前記透孔１２，１２に、該側部片７ｂ，７ｂ間に介在させた前記補強用支杆５の下端のリング片５ａを通じて接続ボルト１１を貫通させ、一報の側部片７ｂより突出するボルト先端にナット１６を螺合締付けて、前記補強用支杆５の下端側を前記リング片５ａにおいて接続してある。
【００１２】
接続ボルト１１によって接続金具７の側部片７ｂ，７ｂに接続した補強用支杆５は、該支杆５の中間部に装置した緊締（長さ）調節手段（ターンバックル装置）５ｂの操作によって該補強用支杆５の長さを調節できるようにしてあり、この補強用支杆５の軸線ａの延長上位置に、腕金３に対して接続金具７を取付けるための前記締付けボルト９の貫通用の前記透孔１０を配置するように補強用支杆５、接続金具７および腕金３は互いに組付けられている。
【００１３】
しかして、先端に接続金具７を前記手段によって（締付けボルト９で締め付けるなどして）組付けた腕金３を、その基部において前記支持金具２を用いて電柱１に取付け、リング片５ａにおいて補強用支杆５の下端を前記手段すなわち接続ボルト１を用いて接続金具７（の側部片７ｂ）と接続する一方、支持金具２の上方にして電柱１に組付けたバンド体６の緊締ボルト６ａに補強用支杆５の上端を組付け、バンド体６の電柱１に沿う移動による位置調節や前記緊締調節手段５ｂを適宜操作して、補強用支杆５の軸線上に透孔１０が存するように配して信号灯器４を腕金３に吊設して実施形態の装柱装置を得るのである。
【００１４】
なお、閉塞枠５はコの字形の金属枠で成り、腕金３の先端に嵌め込んで前記締付けボルト９と該ボルト９に螺合するナット１４とで腕金３に取付け、腕金３の開口先端からの鳥の侵入を防止するもので、また、上下の取付片１３，１３´は信号灯器４を腕金３に取付けるためのものである。
【００１５】
また、締付けボルト９の頭部とナット１４は上下逆に配置しても不都合はない。
【００１６】
【発明の効果】
本発明は前記の通りの構成であるから、補強用支杆の上端すなわち電柱との取付け位置を調節することによって、接続金具側の透孔を補強用支杆の軸線の延長線上に、延長線上でないとしても該延長線上に近づけて配せられ、補強用支杆に作用する張力に可及的に対処して締付けボルト部を支点とする接続金具の回動起立方向への外力が作用しにくい装置を提供でき、従って、堅牢な信号灯器装柱装置を提供できる。
【図面の簡単な説明】
【図１】正面図。
【図２】要部の一部欠截拡大正面図。
【図３】図２の平面図。
【図４】従来例要部正面図。
【符号の説明】
１      電柱
３      腕金
４      信号灯器
５      補強用支杆
７      接続金具
９      締付けボルト
１０    透孔
１１    接続ボルト
１２    透孔
【図１】
2005002639.tif 000003
【図２】
2005002639.tif 000004
【図３】
2005002639.tif 000005
【図４】
2005002639.tif 000006